(57)【要約】      （修正有）【課題】クライアント端末の特性に相応しい遠隔ユーザーインターフェースを提供し、ユーザーが希望する情報に直観的に接近（アクセス）できる。【解決手段】ディスプレイ装置は、複数のクライアント端末と通信を行う通信部、放送信号を受信する受信部、受信される放送信号を処理する信号処理部、処理された放送信号に対応する映像を表示するディスプレイ部、複数のクライアント端末に関する視聴履歴を保存する保存部、及び通信部を通じて前記複数のクライアント端末の中で少なくともいずれか一つが連結されれば連結されたクライアント端末に関する視聴履歴に基づいて連結されたクライアント端末に対応する遠隔ユーザーインターフェース情報をクライアント端末に伝送するように通信部を制御し、クライアント端末から受信されるユーザーの入力に対応して放送信号を受信して処理及び表示するように受信部と信号処理部及びディスプレイ部を制御する制御部を含む。【選択図】図４
2011109655.tif 000002
【特許請求の範囲】
【請求項１】
ディスプレイ装置において、
複数のクライアント端末と通信を行う通信部；
放送信号を受信する受信部；
前記受信部によって受信される前記放送信号を処理する信号処理部；
前記信号処理部によって処理された放送信号に対応する映像を表示するディスプレイ部；
前記複数のクライアント端末に関する視聴履歴を保存する保存部；及び
前記通信部を通じて前記複数のクライアント端末の中で少なくともいずれか一つが連結されれば前記連結されたクライアント端末に関する視聴履歴に基づいて前記連結されたクライアント端末に対応する遠隔ユーザーインターフェース情報を前記クライアント端末に伝送するように前記通信部を制御し、前記クライアント端末から受信されるユーザーの入力に対応して前記放送信号を受信して処理及び表示するように前記受信部と前記信号処理部と前記ディスプレイ部を制御する制御部を含むことを特徴とするディスプレイ装置。
【請求項２】
前記遠隔ユーザーインターフェース情報は、ＵＩ形態及びＵＩに表示される内容の中で少なくとも一つを含むことを特徴とする請求項１に記載のディスプレイ装置。
【請求項３】
前記ＵＩ形態は、映像、テキスト及びオーディオの中で少なくとも一つの形態を含むことを特徴とする請求項２に記載のディスプレイ装置。
【請求項４】
前記ＵＩに表示される内容は、好みのチャンネル、好みのプログラム及び好みのジャンルの中で少なくとも一つを含むことを特徴とする請求項２に記載のディスプレイ装置。
【請求項５】
所定時間及び所定回数視聴したチャンネルまたはプログラムを前記好みのチャンネルまたは前記好みのプログラムと登録することを特徴とする請求項４に記載のディスプレイ装置。
【請求項６】
所定のジャンルに属する少なくとも一つのプログラムが所定時間及び所定回数視聴される場合、前記所定のジャンルを前記好みのジャンルと登録することを特徴とする請求項４に記載のディスプレイ装置。
【請求項７】
前記制御部は、前記保存された視聴履歴を参照して前記好みのチャンネル、前記好みのプログラム及び前記好みのジャンルの中で少なくとも一つに関する情報を生成することを特徴とする請求項４に記載のディスプレイ装置。
【請求項８】
前記制御部は、前記複数のクライアント端末とＵＰｎＰ通信、Ｗｉ−Ｆｉ通信、ブルートゥース通信及び電力線通信の中で少なくとも一つによる通信を行うように前記通信部を制御することを特徴とする請求項１に記載のディスプレイ装置。
【請求項９】
前記制御部は、前記保存部に保存された前記連結されたクライアント端末に関する視聴履歴を前記クライアント端末に伝送するように前記通信部を制御することを特徴とする請求項１に記載のディスプレイ装置。
【請求項１０】
ディスプレイ装置の制御方法において、
複数のクライアント端末に関する視聴履歴を保存する段階；
前記複数のクライアント端末の中で少なくともいずれか一つに連結する段階；
前記連結されたクライアント端末に関する視聴履歴に基づいて前記クライアント端末に対応する遠隔ユーザーインターフェース情報を生成する段階；
前記生成された遠隔ユーザーインターフェース情報を前記クライアント端末に伝送する段階；及び
前記クライアント端末から受信されるユーザーの入力に対応して放送信号を受信して処理及び表示する段階を含むことを特徴とするディスプレイ装置の制御方法。
【請求項１１】
前記遠隔ユーザーインターフェース情報は、ＵＩ形態及びＵＩに表示される内容の中で少なくとも一つを含むことを特徴とする請求項１０に記載のディスプレイ装置の制御方法。
【請求項１２】
前記ＵＩ形態は、映像、テキスト及びオーディオの中で少なくとも一つの形態を含むことを特徴とする請求項１１に記載のディスプレイ装置の制御方法。
【請求項１３】
前記ＵＩに表示される内容は、好みのチャンネル、好みのプログラム及び好みのジャンルの中で少なくとも一つを含むことを特徴とする請求項１１に記載のディスプレイ装置の制御方法。
【請求項１４】
所定時間及び所定回数視聴したチャンネルまたはプログラムを前記好みのチャンネルまたは前記好みのプログラムと登録することを特徴とする請求項１３に記載のディスプレイ装置の制御方法。
【請求項１５】
所定のジャンルに属する少なくとも一つのプログラムが所定時間及び所定回数視聴される場合、前記所定のジャンルを前記好みのジャンルと登録することを特徴とする請求項１３に記載のディスプレイ装置の制御方法。
【請求項１６】
前記保存された視聴履歴を参照して前記好みのチャンネル、前記好みのプログラム及び前記好みのジャンルの中で少なくとも一つに関する情報を生成することを特徴とする請求項１３に記載のディスプレイ装置の制御方法。
【請求項１７】
前記クライアント端末と連結する段階は、前記複数のクライアント端末とＵＰｎＰ通信、Ｗｉ−Ｆｉ通信、ブルートゥース通信及び電力線通信の中で少なくとも一つによる通信を行って連結する段階であることを特徴とする請求項１０に記載のディスプレイ装置の制御方法。
【請求項１８】
前記保存された、前記連結されたクライアント端末に関する視聴履歴を前記クライアント端末に伝送する段階をさらに含むことを特徴とする請求項１０に記載のディスプレイ装置の制御方法。
【請求項１９】
クライアント端末において、
ディスプレイ装置と通信を行う通信部；
前記通信部によって受信される遠隔ユーザーインターフェース情報を処理する信号処理部；
前記信号処理部によって処理される前記遠隔ユーザーインターフェース情報に基づいて遠隔ユーザーインターフェースを表示するディスプレイ部；
ユーザーの入力を受信するユーザー入力部；及び
前記通信部を通じて前記ディスプレイ装置に連結されれば前記クライアント端末に対応する遠隔ユーザーインターフェース情報を受信するように前記通信部を制御し、前記遠隔ユーザーインターフェース情報に基づいて前記遠隔ユーザーインターフェースを処理及び表示するように前記信号処理部及び前記ディスプレイ部を制御し、前記遠隔ユーザーインターフェースを参照して行われるユーザーの入力を前記ディスプレイ装置に伝送するように前記通信部を制御する制御部を含むことを特徴とするクライアント端末。
【請求項２０】
前記遠隔ユーザーインターフェース情報は、ＵＩ形態及びＵＩに表示される内容の中で少なくとも一つを含むことを特徴とする請求項１９に記載のクライアント端末。
【請求項２１】
前記ＵＩ形態は、映像、テキスト及びオーディオの中で少なくとも一つの形態を含むことを特徴とする請求項２０に記載のクライアント端末。
【請求項２２】
前記ＵＩに表示される内容は、好みのチャンネル、好みのプログラム及び好みのジャンルの中で少なくとも一つを含むことを特徴とする請求項２０に記載のクライアント端末。
【請求項２３】
前記好みのチャンネルまたは前記好みのプログラムは、所定時間及び所定回数視聴したチャンネルまたはプログラムであることを特徴とする請求項２２に記載のクライアント端末。
【請求項２４】
前記好みのジャンルは、前記好みのジャンルに属する少なくとも一つのプログラムが所定時間及び所定回数視聴される場合であることを特徴とする請求項２２に記載のクライアント端末。
【請求項２５】
前記ＵＩに表示される内容は、前記好みのチャンネル、前記好みのプログラム及び前記好みのジャンルの中で少なくとも一つに関する情報をさらに含むことを特徴とする請求項に２２記載のクライアント端末。
【請求項２６】
前記制御部は、前記ディスプレイ装置とＵＰｎＰ通信、Ｗｉ−Ｆｉ通信、ブルートゥース通信及び電力線通信の中で少なくとも一つによる通信を行うように前記通信部を制御することを特徴とする請求項１９に記載のクライアント端末。
【請求項２７】
前記制御部は、前記連結されたディスプレイ装置から前記クライアント端末に関する視聴履歴を受信するように前記通信部を制御することを特徴とする請求項１９に記載のクライアント端末。
【請求項２８】
保存部をさらに含み、
前記制御部は、前記受信した前記クライアント端末に関する視聴履歴を保存するように前記保存部を制御することを特徴とする請求項２７に記載のクライアント端末。
【請求項２９】
前記制御部は、前記通信部を通じて第２ディスプレイ装置と連結されれば前記保存された視聴履歴を前記第２ディスプレイ装置に伝送されるように前記通信部を制御し、
前記第２ディスプレイ装置から前記視聴履歴の伝送に対応する第２遠隔ユーザーインターフェース情報を受信するように前記通信部を制御することを特徴とする請求項２８に記載のクライアント端末。
【請求項３０】
クライアント端末の制御方法において、
ディスプレイ装置に連結される段階；
前記クライアント端末に対応する遠隔ユーザーインターフェース情報を受信する段階；
受信された前記遠隔ユーザーインターフェース情報に基づいて遠隔ユーザーインターフェースを表示する段階；
前記遠隔ユーザーインターフェースを参照して行われるユーザーの入力を受信する段階；及び
前記ユーザーの入力を前記ディスプレイ装置に伝送する段階を含むことを特徴とするクライアント端末の制御方法。
【請求項３１】
前記遠隔ユーザーインターフェース情報は、ＵＩ形態及びＵＩに表示される内容の中で少なくとも一つを含むことを特徴とする請求項３０に記載のクライアント端末の制御方法。
【請求項３２】
前記ＵＩ形態は、映像、テキスト及びオーディオの中で少なくとも一つの形態を含むことを特徴とする請求項３１に記載のクライアント端末の制御方法。
【請求項３３】
前記ＵＩに表示される内容は、好みのチャンネル、好みのプログラム及び好みのジャンルの中で少なくとも一つを含むことを特徴とする請求項３１に記載のクライアント端末の制御方法。
【請求項３４】
前記好みのチャンネルまたは前記好みのプログラムは、所定時間及び所定回数視聴したチャンネルまたはプログラムであることを特徴とする請求項３３に記載のクライアント端末の制御方法。
【請求項３５】
前記好みのジャンルは、前記好みのジャンルに属する少なくとも一つのプログラムが所定時間及び所定回数視聴される場合であることを特徴とする請求項３３に記載のクライアント端末の制御方法。
【請求項３６】
前記ＵＩに表示される内容は、前記好みのチャンネル、前記好みのプログラム及び前記好みのジャンルの中で少なくとも一つに関する情報をさらに含むことを特徴とする請求項３３に記載のクライアント端末の制御方法。
【請求項３７】
前記ディスプレイ装置と連結される段階は、前記ディスプレイ装置とＵＰｎＰ通信、Ｗｉ−Ｆｉ通信、ブルートゥース通信及び電力線通信の中で少なくとも一つによる通信を行って連結される段階であることを特徴とする請求項３０に記載のクライアント端末の制御方法。
【請求項３８】
前記連結されたディスプレイ装置から前記クライアント端末に関する視聴履歴を受信する段階をさらに含むことを特徴とする請求項３０に記載のクライアント端末の制御方法。
【請求項３９】
前記受信した前記クライアント端末に関する視聴履歴を保存する段階をさらに含むことを特徴とする請求項３８に記載のクライアント端末の制御方法。
【請求項４０】
第２ディスプレイ装置と連結されれば前記保存された視聴履歴を前記第２ディスプレイ装置に伝送する段階と；
前記第２ディスプレイ装置から前記視聴履歴の伝送に対応する第２遠隔ユーザーインターフェース情報を受信する段階をさらに含むことを特徴とする請求項３８に記載のクライアント端末の制御方法。
【発明の詳細な説明】
【技術分野】
【０００１】
本発明は、ディスプレイ装置とクライアント端末及びこの制御方法に係り、さらに詳しくは、それぞれのクライアント端末を通じて接近する視聴履歴を利用して、それぞれのクライアント端末の特性に相応しい遠隔ユーザーインターフェースを提供することによって、該当クライアント端末のユーザーが希望する情報に直観的に接近（アクセス）することができるディスプレイ装置とクライアント端末及びこの制御方法に関する。
【背景技術】
【０００２】
一般的に、ＴＶ等のディスプレイ装置は、複数のユーザーが接近する特性を有する。このような特性で、ディスプレイ装置で複数のユーザー一人一人にカスタマイズされたユーザーインターフェースを提供し難い。また、ディスプレイ装置でユーザー別にカスタマイズされたユーザーインターフェースを提供しても、ユーザーは色々な段階を経ってカスタマイズされたユーザーインターフェースを探索しなければならない。従って、カスタマイズされたユーザーインターフェースをさらに效率的に提供し、カスタマイズされたユーザーインターフェースにさらに直観的に接近することができる新しいアプリケーションが必要である。
【発明の概要】
【発明が解決しようとする課題】
【０００３】
従って、本発明の目的は、それぞれのクライアント端末を通じて接近する視聴履歴を利用して、それぞれのクライアント端末の特性に相応しくカスタマイズされた遠隔ユーザーインターフェースを提供することによって、該当クライアント端末のユーザーが希望する情報に直観的に接近できるように新しいアプリケーションを提供することである。
【課題を解決するための手段】
【０００４】
本発明の目的は、ディスプレイ装置において、複数のクライアント端末と通信を行う通信部；放送信号を受信する受信部；前記受信部によって受信される前記放送信号を処理する信号処理部；前記信号処理部によって処理された放送信号に対応する映像を表示するディスプレイ部；前記複数のクライアント端末に関する視聴履歴を保存する保存部；及び前記通信部を通じて前記複数のクライアント端末の中で少なくともいずれか一つが連結されれば前記連結されたクライアント端末に関する視聴履歴に基づいて前記連結されたクライアント端末に対応する遠隔ユーザーインターフェース情報を前記クライアント端末に伝送するように前記通信部を制御し、前記クライアント端末から受信されるユーザーの入力に対応して前記放送信号を受信して処理及び表示するように前記受信部と前記信号処理部及び前記ディスプレイ部を制御する制御部を含むディスプレイ装置によって達成される。
【０００５】
前記ディスプレイ装置において、前記遠隔ユーザーインターフェース情報は、ＵＩ形態及びＵＩに表示される内容の中で少なくとも一つを含むことができる。前記ディスプレイ装置において、前記ＵＩ形態は、映像、テキスト及びオーディオの中で少なくとも一つの形態を含むことができる。前記ディスプレイ装置において、前記ＵＩに表示される内容は、好みのチャンネル、好みのプログラム及び好みのジャンルの中で少なくとも一つを含むことができる。前記ディスプレイ装置において、所定時間及び所定回数視聴したチャンネルまたはプログラムを前記好みのチャンネルまたは前記好みのプログラムと登録することができる。前記ディスプレイ装置において、所定のジャンルに属する少なくとも一つのプログラムが所定時間及び所定回数視聴される場合、前記所定のジャンルを前記好みのジャンルと登録することができる。前記ディスプレイ装置において、前記制御部は、前記保存された視聴履歴を参照して前記好みのチャンネル、前記好みのプログラム及び前記好みのジャンルの中で少なくとも一つに関する情報を生成することができる。前記ディスプレイ装置において、前記制御部は、前記複数のクライアント端末とＵＰｎＰ通信、Ｗｉ−Ｆｉ通信、ブルートゥース通信及び電力線通信の中で少なくとも一つによる通信を行うように前記通信部を制御することができる。前記制御部は、前記保存部に保存された、前記連結されたクライアント端末に関する視聴履歴を前記クライアント端末に伝送するように前記通信部を制御することができる。
【０００６】
また、本発明の目的は、ディスプレイ装置の制御方法において、複数のクライアント端末に関する視聴履歴を保存する段階；前記複数のクライアント端末の中で少なくともいずれか一つに連結する段階；前記連結されたクライアント端末に関する視聴履歴に基づいて前記クライアント端末に対応する遠隔ユーザーインターフェース情報を生成する段階；前記生成された遠隔ユーザーインターフェース情報を前記クライアント端末に伝送する段階；及び前記クライアント端末から受信されるユーザーの入力に対応して放送信号を受信して処理及び表示する段階を含むディスプレイ装置の制御方法によって達成されることができる。
【０００７】
前記ディスプレイ装置の制御方法において、前記遠隔ユーザーインターフェース情報は、ＵＩ形態及びＵＩに表示される内容の中で少なくとも一つを含むことができる。前記ディスプレイ装置の制御方法において、前記ＵＩ形態は、映像、テキスト及びオーディオの中で少なくとも一つの形態を含むことができる。前記ディスプレイ装置の制御方法において、前記ＵＩに表示される内容は、好みのチャンネル、好みのプログラム及び好みのジャンルの中で少なくとも一つを含むことができる。前記ディスプレイ装置の制御方法において、所定時間及び所定回数視聴したチャンネルまたはプログラムを前記好みのチャンネルまたは前記好みのプログラムと登録することができる。前記ディスプレイ装置の制御方法において、所定のジャンルに属する少なくとも一つのプログラムが所定時間及び所定回数視聴される場合、前記所定のジャンルを前記好みのジャンルと登録することができる。前記ディスプレイ装置の制御方法において、前記視聴履歴を参照して前記好みのチャンネル、前記好みのプログラム及び前記好みのジャンルの中で少なくとも一つに関する情報を生成することができる。前記ディスプレイ装置の制御方法において、前記クライアント端末と連結する段階は、前記複数のクライアント端末とＵＰｎＰ通信、Ｗｉ−Ｆｉ通信、ブルートゥース通信及び電力線通信の中で少なくとも一つによる通信を行って連結する段階である。
【０００８】
前記制御方法は、前記保存された、前記連結されたクライアント端末に関する視聴履歴を前記クライアント端末に伝送する段階をさらに含むことができる。
【０００９】
また、本発明の目的は、クライアント端末において、ディスプレイ装置と通信を行う通信部；前記通信部によって受信される遠隔ユーザーインターフェース情報を処理する信号処理部；前記信号処理部によって処理される前記遠隔ユーザーインターフェース情報に基づいて遠隔ユーザーインターフェースを表示するディスプレイ部；ユーザーの入力を受信するユーザー入力部；及び前記通信部を通じて前記ディスプレイ装置に連結されれば前記クライアント端末に対応する前記遠隔ユーザーインターフェース情報を受信するように前記通信部を制御し、前記遠隔ユーザーインターフェース情報に基づいて前記遠隔ユーザーインターフェースを処理及び表示するように前記信号処理部及び前記ディスプレイ部を制御し、前記遠隔ユーザーインターフェースを参照して行われる前記ユーザーの入力を前記ディスプレイ装置に伝送するように前記通信部を制御する制御部を含むクライアント端末によって達成されることができる。
【００１０】
前記クライアント端末において、前記遠隔ユーザーインターフェース情報は、ＵＩ形態及びＵＩに表示される内容の中で少なくとも一つを含むことができる。前記クライアント端末において、前記ＵＩ形態は、映像、テキスト及びオーディオの中で少なくとも一つの形態を含むことができる。前記クライアント端末において、前記ＵＩに表示される内容は、好みのチャンネル、好みのプログラム及び好みのジャンルの中で少なくとも一つを含むことができる。前記クライアント端末において、前記好みのチャンネルまたは前記好みのプログラムは、所定時間及び所定回数視聴したチャンネルまたはプログラムであることができる。前記クライアント端末において、前記好みのジャンルは、前記好みのジャンルに属する少なくとも一つのプログラムが所定時間及び所定回数視聴される場合であることができる。前記クライアント端末において、前記ＵＩに表示される内容は、前記好みのチャンネル、前記好みのプログラム及び前記好みのジャンルの中で少なくとも一つに関する情報をさらに含むことができる。前記クライアント端末において、前記制御部は、前記ディスプレイ装置とＵＰｎＰ通信、Ｗｉ−Ｆｉ通信、ブルートゥース通信及び電力線通信の中で少なくとも一つによる通信を行うように前記通信部を制御することができる。
【００１１】
前記制御部は、前記連結されたディスプレイ装置から前記クライアント端末に関する視聴履歴を受信するように前記通信部を制御することができる。
【００１２】
また、前記クライアント端末は、保存部をさらに含み、前記制御部は、前記受信した前記クライアント端末に関する視聴履歴を保存するように前記保存部を制御することができる。
【００１３】
前記制御部は、前記通信部を通じて第２ディスプレイ装置と連結されれば前記保存された視聴履歴を前記第２ディスプレイ装置に伝送されるように前記通信部を制御し、前記第２ディスプレイ装置から前記視聴履歴伝送に対応する第２遠隔ユーザーインターフェース情報を受信するように前記通信部を制御することができる。
【００１４】
また、本発明の目的は、クライアント端末の制御方法において、ディスプレイ装置に連結される段階；前記クライアント端末に対応する遠隔ユーザーインターフェース情報を受信する段階；受信された前記遠隔ユーザーインターフェース情報に基づいて遠隔ユーザーインターフェースを表示する段階；前記遠隔ユーザーインターフェースを参照して行われるユーザーの入力を受信する段階；及び前記ユーザーの入力を前記ディスプレイ装置に伝送する段階を含むクライアント端末の制御方法によって達成されることができる。
【００１５】
前記クライアント端末の制御方法において、前記遠隔ユーザーインターフェース情報は、ＵＩ形態及びＵＩに表示される内容の中で少なくとも一つを含むことができる。前記クライアント端末の制御方法において、前記ＵＩ形態は、映像、テキスト及びオーディオの中で少なくとも一つの形態を含むことができる。前記クライアント端末の制御方法において、前記ＵＩに表示される内容は、好みのチャンネル、好みのプログラム及び好みのジャンルの中で少なくとも一つを含むことができる。前記クライアント端末の制御方法において、前記好みのチャンネルまたは前記好みのプログラムは、所定時間及び所定回数視聴したチャンネルまたはプログラムであることができる。前記クライアント端末の制御方法において、前記好みのジャンルは、前記好みのジャンルに属する少なくとも一つのプログラムが所定時間及び所定回数視聴される場合であることができる。前記クライアント端末の制御方法において、前記ＵＩに表示される内容は、前記好みのチャンネル、前記好みのプログラム及び前記好みのジャンルの中で少なくとも一つに関する情報をさらに含むことができる。前記クライアント端末の制御方法において、前記ディスプレイ装置とＵＰｎＰ通信、Ｗｉ−Ｆｉ通信、ブルートゥース通信及び電力線通信の中で少なくとも一つによる通信を行うことができる。
【００１６】
前記制御方法は、前記連結されたディスプレイ装置から前記クライアント端末に関する視聴履歴を受信する段階をさらに含むことができる。
【００１７】
前記制御方法は、前記受信した前記クライアント端末に関する視聴履歴を保存する段階をさらに含むことができる。
【００１８】
前記制御方法は、第２ディスプレイ装置と連結されれば前記保存された視聴履歴を前記第２ディスプレイ装置に伝送する段階と前記第２ディスプレイ装置から前記視聴履歴伝送に対応する第２遠隔ユーザーインターフェース情報を受信する段階をさらに含むことができる。
【発明の効果】
【００１９】
前述のように、本発明によれば、それぞれのクライアント端末の特性に相応しく誂えた遠隔ユーザーインターフェースを提供することができる。また、該当クライアント端末のユーザーが希望する情報に直観的に接近することもできる。
【図面の簡単な説明】
【００２０】
【図１】本発明の一実施形態によるディスプレイ装置とクライアント端末を含むＤＬＮＡネットワークの構成を示す図である。
【図２】本発明の一実施形態によるディスプレイ装置の構成を示すブロック図である。
【図３】本発明の一実施形態によるクライアント端末の構成を示すブロック図である。
【図４】本発明の一実施形態による遠隔ユーザーインターフェースを説明するための図である。
【図５】本発明の他の実施形態による遠隔ユーザーインターフェースを説明するための図である。
【図６】本発明の他の実施形態による遠隔ユーザーインターフェースを説明するための図である。
【図７Ａ】本発明の一実施形態による遠隔ユーザーインターフェースの具体的な制御過程を説明するための図である。
【図７Ｂ】本発明の一実施形態による遠隔ユーザーインターフェースの具体的な制御過程を説明するための図である。
【図８】本発明の一実施形態によるクライアント端末の動作を示す図である。
【図９】本発明の一実施形態によるディスプレイ装置の制御過程を示す図である。
【図１０】本発明の一実施形態によるクライアント端末の制御過程を示す図である。
【発明を実施するための形態】
【００２１】
以下、添付図面を参照して、本発明の一実施形態に対して本発明の属する技術分野で通常の知識を有する人なら容易に実施できるように詳細に説明する。本発明は色々な形態で具現されることができるし、ここで説明する実施形態に限定されない。本発明を明確に説明するために、説明に関係しない部分は省略し、明細書の全体を通じて同一または類似な構成要素に対しては、同一な参照符号を付ける。
【００２２】
図１は、本発明の一実施形態によるディスプレイ装置とクライアント端末を含むＤＬＮＡネットワークの構成を示す図である。
【００２３】
本発明の一実施形態によるディスプレイ装置１０とクライアント端末２０、３０、４０、５０は、ＤＬＮＡネットワークを構成することができる。ＤＬＮＡ（Digital  Living  Network  Alliance）ネットワークは、既存に構築されている業界標準に基づいて相互に互換することができるプラットホームを構築することによって、業界間のコンバージェンスを実現する。このようなＤＬＮＡネットワークは、ネットワーク上ですべての器機間にお互いを認識して情報を伝達することができるＵＰｎＰ（Universal  Plug  and  Play）に基盤している。また、ネットワーク上に存在する器機間にはＷｉ−Ｆｉ通信、ブルートゥース通信、電力線通信及びＩＰ通信など既存に構築された標準による通信を行うことができる。
【００２４】
ＤＬＮＡネットワークに含まれるモバイル器機、ディスプレイ装置、個人用コンピューター及び家電器機などは、音楽、写真、動映像などのメディアコンテンツをネットワークを通じてお互いに自由に共有することができる。即ち、図１で、ディスプレイ装置１０、クライアント端末Ａ２０、クライアント端末Ｂ３０、クライアント端末Ｃ４０及びクライアント端末Ｄ５０は、お互いを自動で認識してメディアコンテンツを共有することができる。
【００２５】
また、ＤＬＮＡネットワークに含まれる複数の器機たちは遠隔ユーザーインターフェース（Remote  User  Interface：ＲＵＩ）を利用して器機相互間の制御を行うことができる。このため、ＤＬＮＡネットワークに含まれる複数の器機はＷｉ−Ｆｉ、ブルートゥース、ジグビー（zigbee）、ＩＲ通信、ＲＦ通信及び有線通信などによって遠隔ユーザーインターフェース情報を送受信することができる。即ち、図１に示すように、ディスプレイ装置１０がクライアント端末Ｂ３０を認識すれば、ディスプレイ装置１０はクライアント端末Ｂ３０のプロファイルにマッチングされる遠隔ユーザーインターフェース情報を生成する（６０）。以後、ディスプレイ装置１０は、生成された遠隔ユーザーインターフェース情報をクライアント端末Ｂ３０に伝送する（７０）。ＲＵＩは、ＨＴＭＬ、ＸＭＬのようなテキスト形式で送信されることができる。この場合ディスプレイ装置１０がクライアント端末Ｂ３０に伝送する遠隔ユーザーインターフェース情報は、図１に示すようにＸＨＴＭＬコンテンツになることができる。また、ＲＵＩは、ｂｉｔｍａｐ、ＪＰＥＧのようなイメージ形式で送信されることができる。従って、前記クライアント端末Ｂ３０は、前記ディスプレイ装置１０から受信した遠隔ユーザーインターフェース情報を通じて前記ディスプレイ装置１０を遠隔で制御することができる遠隔制御信号を、前記ディスプレイ装置１０に送信することができる。
【００２６】
前記ディスプレイ装置１０がＤＴＶで具現される場合、前記遠隔制御信号は、前記ＤＴＶのチャンネル選局、プログラム視聴予約などの制御信号を含むことができる。この時、前記ディスプレイ装置１０は、前記クライアント端末Ｂ３０から受信した遠隔制御信号による視聴履歴を保存部に保存することができる。
【００２７】
また他の一実施形態として、前記クライアント端末Ｂ３０が外部に存在するウェッブサーバー（図示せず）などから、前記ディスプレイ装置１０を制御することができるリモートコントローラーアプリケーションをダウンロード及び実行することができる。前記ディスプレイ装置１０が前記クライアント端末Ｂ３０の接近を認識しクライアント端末Ｂのプロファイルを要請して受信することができる。前記クライアント端末Ｂ３０に実行されているリモートコントローラーアプリケーションを通じて前記ディスプレイ装置１０を制御する場合、前記ディスプレイ装置１０は前記制御に基づいて視聴履歴を保存部に保存することができる。
【００２８】
従って、クライアント端末Ｂ３０の視聴履歴を保存したディスプレイ装置１０は、前記クライアント端末Ｂに前記保存された視聴履歴に基づいて、好みのチャンネルまたは好みのプログラムに対する情報を提供してユーザーカスタマイズのサービスを提供することができる利点が有する。
【００２９】
図２は、本発明の一実施形態によるディスプレイ装置の構成を示すブロック図である。
【００３０】
本発明の一実施形態によるディスプレイ装置２００は、デジタルＴＶ、デスクトップコンピューター、セットトップボックス及び大型ディスプレイ（Large  Format  Display：LFD）などである。
【００３１】
本発明の一実施形態によるディスプレイ装置２００は、受信部２１０、信号処理部２２０、ディスプレイ部２３０、通信部２４０、保存部２５０及び制御部２６０を含むことができる。
【００３２】
受信部２１０は、放送信号を受信することができる。放送信号は、送信ストリーム（Transport  Stream：TS）形態で受信されるデジタル放送信号や、インターネットプロトコル（Internet  Protocol：IP）によるパケット形態で受信されるＩＰ放送信号であることができる。
【００３３】
信号処理部２２０は、受信部２１０によって受信される放送信号を処理することができる。具体的に、信号処理部２２０は、エンコーディングされた映像信号をデコーディングしたり、受信した信号を元々の信号に復調することができる。
【００３４】
ディスプレイ部２３０は、信号処理部２２０によって処理される放送信号に基づいて映像を表示することができる。このため、ディスプレイ部２３０は、液晶表示装置（Liquid  Crystal  Display：LCD）、有機電気発光ダイオード（Organic Light Emitting  Display：OLED）またはプラズマ表示パネル（Plasma  Display  Panel：PDP）などの形態で具現されるディスプレイパネル及びパネル駆動部を含むことができる。
【００３５】
通信部２４０は、複数のクライアント端末３００と通信を行うことができる。具体的に、通信部２４０は、Ｗｉ−Ｆｉ、ブルートゥース、ジグビー（zigbee）、ＩＲ通信、ＲＦ通信及び有線通信などによって遠隔ユーザーインターフェース情報をクライアント端末３００に伝送することができる。
【００３６】
保存部２５０は、複数のクライアント端末３００の視聴履歴を保存することができる。この場合、視聴履歴は、それぞれのクライアント端末３００を通じて接近したことであるができる。例えば、視聴履歴は、クライアント端末３００を通じるチャンネル選局、プログラム予約などを含むことができる。具体的に、保存部２５０は、各クライアント端末３００のプロファイルと、該当クライアント端末３００の視聴履歴を対応して保存することができる。また、保存部２５０は、視聴履歴に基づいて各クライアント端末３００別にカスタマイズされたデータベースを構築することができる。一方、各クライアント端末３００のプロファイルは、クライアント端末３００の識別情報、選好情報などを含むことができる。一実施形態によると、クライアント端末３００の識別情報は、クライアント端末３００の固有情報を含むことができる。具体的に、クライアント端末３００が移動端末である場合、器機のモデル名と電話番号の後番号四つの組合であることができる。例えば、器機のモデル名がＳＣＨ−Ｗ５８０であり、電話番号が０１１-２３４-５６７８である場合、識別情報は、ＳＣＨＷ５８０５６７８になる。
【００３７】
制御部２６０は、複数のクライアント端末３００中で少なくとも一つのクライアント端末３００が連結されれば、視聴履歴を参照して連結されたクライアント端末３００それぞれに対応する遠隔ユーザーインターフェース情報を該当クライアント端末３００に伝送するように通信部２４０を制御することができる。この場合、制御部２６０は、Ｗｉ−Ｆｉ、ブルートゥース、ジグビー（zigbee）、ＩＲ通信、ＲＦ通信及び有線通信などによって遠隔ユーザーインターフェース情報を伝送するように通信部２４０を制御することができる。
【００３８】
遠隔ユーザーインターフェース情報は、ＵＩ形態及びＵＩに表示される内容の中で少なくとも一つを含むことができる。ＵＩ形態は、映像、テキスト及びオーディオの中で少なくとも一つの形態を含むことができる。ＵＩに表示される内容は、好みのチャンネル、好みのプログラム及び好みのジャンルの中で少なくとも一つを含むことができる。
【００３９】
一実施形態によると、制御部２６０は、視聴履歴を参照して好みのチャンネル、好みのプログラム及び好みのジャンルの中で少なくとも一つに対する情報を生成することができる。
【００４０】
具体的に、所定時間及び所定回数視聴したチャンネル（または、プログラム）を好みのチャンネル（または、好みのプログラム）と登録することができる。例えば、Ａチャンネル（または、プログラム）を３０分以上３回以上視聴する場合、好みのチャンネル（または、好みのプログラム）と登録することができる。
【００４１】
好みのジャンルの場合、所定のジャンルに属する少なくとも一つのプログラムが所定時間及び所定回数視聴される場合、前記所定のジャンルを前記好みのジャンルと登録することができる。例えば、Ｘジャンルに属するプログラムが１時間以上週３回以上視聴されれば、Ｘジャンルを好みのジャンルと登録することができる。
【００４２】
一方、登録された好みのチャンネル、好みのプログラム及び好みのジャンルは、所定周期にアップデートされることができる。例えば、一ヶ月間登録された好みのプログラムを視聴しない場合、該当のプログラムは好みのプログラムから削除される。
【００４３】
他の実施形態によれば、制御部２６０は、視聴履歴を参照して好みのチャンネル、好みのプログラム及び好みのジャンルの中で少なくとも一つに関する情報を生成することができる。
【００４４】
具体的に、好みのチャンネルの場合、所定の期間一番多く視聴したチャンネルの中で好みのチャンネルに登録しておかないチャンネルを順番で表示することができる。この場合、上位に属するいくつのチャンネルのみを表示することができる。例えば、３日間一番多い時間視聴したチャンネルの中で好みのチャンネルと登録しておかないチャンネルトップ（top）３を表示することができる。
【００４５】
制御部２６０は、複数のクライアント端末３００とＵＰｎＰ通信、Ｗｉ−Ｆｉ通信、ブルートゥース通信及び電力線通信の中で少なくとも一つによる通信を行うように通信部２４０を制御することができる。
【００４６】
一方、制御部２６０は、該当クライアント端末３００から受信されるユーザーの入力に従って放送信号を受信して処理及び表示するように受信部２１０と信号処理部２２０及びディスプレイ部２３０を制御することができる。例えば、ユーザーがクライアント端末３００を通じてＡチャンネルを選局すれば、制御部２６０は、Ａチャンネルから受信される放送信号を受信してディスプレイするように受信部２１０、信号処理部２２０及びディスプレイ部２３０を制御する。
【００４７】
また、制御部２６０は、前記通信部２４０を通じて連結された複数のクライアント端末の中で少なくともどの一つに、前記保存部に保存された前記連結されたクライアント端末に関する視聴履歴を伝送するように前記通信部２４０を制御することができる。
【００４８】
図３は、本発明の一実施形態によるクライアント端末の構成を示すブロック図である。
【００４９】
本発明の一実施形態によるクライアント端末３００は、移動端末、ラップトップコンピューター、デスクトップコンピューター、ＰＤＡ（Personal  Digital  Assistant）、家電器機などになることができる。
【００５０】
本発明の一実施形態によるクライアント端末３００は、通信部３１０、信号処理部３２０、ディスプレイ部３３０、ユーザー入力部３４０、制御部３５０及び保存部３６０を含むことができる。
【００５１】
通信部３１０は、ディスプレイ装置２００と通信を行うことができる。具体的に、通信部３１０は、Ｗｉ−Ｆｉ、ブルートゥース、ジグビー（zigbee）、ＩＲ通信、ＲＦ通信及び有線通信などを行って、遠隔ユーザーインターフェース情報をディスプレイ装置２００から受信することができる。また、通信部３１０は、ＵＰｎＰ通信、Ｗｉ−Ｆｉ通信、ブルートゥース通信及び電力線通信の中で少なくとも一つによる通信を行ってクライアント端末３００に入力されたユーザーの入力をディスプレイ装置２００に伝送することができる。
【００５２】
信号処理部３２０は、通信部３１０によって受信される遠隔ユーザーインターフェース情報を処理することができる。
【００５３】
ディスプレイ部３３０は、信号処理部３２０によって処理される遠隔ユーザーインターフェース情報に基づいて、遠隔ユーザーインターフェースを表示することができる。このために、ディスプレイ部３３０は、液晶表示装置（Liquid  Crystal  Display：LCD）、有機電気発光ダイオード（Organic  Light  Emitting  Display：OLED）またはプラズマ表示パネル（Plasma  Display  Panel：PDP）等の形態で具現されるディスプレイパネル及びパネル駆動部を含むことができる。
【００５４】
ユーザー入力部３４０は、ユーザーの入力をが入力することができる。この場合、ユーザーの入力は、タッチ入力、マウスによる入力及びキーボタン入力の中で少なくとも一つであることができる。
【００５５】
制御部３５０は、ディスプレイ装置２００に連結されれば、クライアント端末３００に対応する遠隔ユーザーインターフェース情報を受信するように通信部３１０を制御することができる。この場合、制御部３５０は、Ｗｉ−Ｆｉ、ブルートゥース、ジグビー（zigbee）、ＩＲ通信、ＲＦ通信及び有線通信などによって遠隔ユーザーインターフェース情報を受信するように通信部３１０を制御することができる。
【００５６】
制御部３５０は、ディスプレイ装置２００から受信した遠隔ユーザーインターフェース情報に基づいて、遠隔ユーザーインターフェースを処理及び表示するように信号処理部３２０及びディスプレイ部３３０を制御することができる。
【００５７】
制御部３５０は、遠隔ユーザーインターフェースを参照して行われるユーザーの入力をディスプレイ装置２００に伝送するように通信部３１０を制御することができる。このために、制御部３５０は、ディスプレイ装置２００とＵＰｎＰ通信、Ｗｉ−Ｆｉ通信、ブルートゥース通信及び電力線通信の中で少なくとも一つによる通信を行うように通信部３１０を制御することができる。
【００５８】
一方、遠隔ユーザーインターフェース情報は、ＵＩ形態及びＵＩに表示される内容の中で少なくとも一つを含むことができる。ＵＩ形態は、映像、テキスト及びオーディオの中で少なくとも一つの形態を含むことができる。ＵＩに表示される内容は、好みのチャンネル、好みのプログラム及び好みのジャンルの中で少なくとも一つを含むことができる。
【００５９】
制御部３５０は、前記通信部３１０を通じて連結されたディスプレイ装置から前記クライアント端末３００に関する視聴履歴を受信するように前記通信部３１０を制御することができる。また、前記受信した視聴履歴を保存部３６０に保存することができる。
【００６０】
従って、クライアント端末３００が前記通信部３１０を通じて第２ディスプレイ装置に連結されれば、前記保存部３６０に保存された視聴履歴を前記第２ディスプレイ装置に送って、前記第２ディスプレイ装置から前記視聴履歴伝送に対応する第２遠隔ユーザーインターフェース情報を受信するように前記通信部３１０を制御することができる。
【００６１】
保存部３６０は、前記通信部３１０を通じて前記連結されたディスプレイ装置から受信したクライアント端末３００に関する視聴履歴を保存する。
【００６２】
図４は、本発明の一実施形態による遠隔ユーザーインターフェースを説明するための図である。
【００６３】
本発明の一実施形態による遠隔ユーザーインターフェースは、クライアント端末それぞれ４１０、４２０、４３０、４４０に対応するカスタマイズされた遠隔ユーザーインターフェースであることができる。具体的に、遠隔ユーザーインターフェースは、各クライアント端末４１０、４２０、４３０、４４０の特性に相応しく生成され、複数のクライアント端末４１０、４２０、４３０、４４０は、ディスプレイ装置４００からそれぞれお互いに異なる遠隔ユーザーインターフェースを受信する。この場合、遠隔ユーザーインターフェースは、該当クライアント端末４１０、４２０、４３０、４４０の好みのチャンネル、好みのプログラムなどの情報を含むことができる。
【００６４】
図４に示すように、ディスプレイ装置４００は、それぞれのクライアント端末４１０、４２０、４３０、４４０に対応する遠隔ユーザーインターフェース情報を伝送する。具体的に、クライアント端末Ａ４１０には、クライアント端末Ａ４１０の好みのチャンネル、好みのプログラムなどの情報を含む遠隔ユーザーインターフェース情報を伝送する（４１２）。クライアント端末Ｂ４２０には、クライアント端末Ｂ４２０の好みのチャンネル、好みのプログラムなどの情報を含む遠隔ユーザーインターフェース情報を伝送する（４２２）。クライアント端末Ｃ４３０には、クライアント端末Ｃ４３０の好みのチャンネル、好みのプログラムなどの情報を含む遠隔ユーザーインターフェース情報を伝送する（４３２）。クライアント端末Ｄ４４０には、クライアント端末Ｄ４４０の好みのチャンネル、好みのプログラムなどの情報を含む遠隔ユーザーインターフェース情報を伝送する（４４２）。この場合、それぞれのクライアント端末４１０、４２０、４３０、４４０では、遠隔ユーザーインターフェースを参照して行われるユーザーの入力をディスプレイ装置４００に伝送する（４１４、４２４、４３４、４４４）。
【００６５】
ディスプレイ装置４００には多数のユーザーが接近する。この場合、それぞれのクライアント端末４１０、４２０、４３０、４４０を通じて接近した視聴履歴を利用してディスプレイ装置４００の視聴履歴を各ユーザー別で管理し、これに基づいてユーザー別にカスタマイズされた遠隔ユーザーインターフェースを提供することができる。
【００６６】
さらに、本実施形態ではカスタマイズされた遠隔ユーザーインターフェースをＤＬＮＡネットワークを通じてユーザーのクライアント端末４１０、４２０、４３０、４４０にそれぞれ表示するので、ユーザーは自分の特性に相応しい情報に直観的に接近することができる。
【００６７】
図５は、本発明の他の実施形態による遠隔ユーザーインターフェースを説明するための図である。
【００６８】
本発明の他の実施形態による遠隔ユーザーインターフェースは、クライアント端末それぞれ５１０、５２０、５３０、５４０に対応され、ディスプレイ装置５００に表示されるＵＩ形態と等しい。
【００６９】
本実施形態で複数のクライアント端末５１０、５２０、５３０、５４０は、ディスプレイ装置５００に表示されるＵＩと等しい形態の遠隔ユーザーインターフェースをそれぞれ受信する（５１２、５２２、５３２、５４２）。図５に示すように、ディスプレイ装置５００に表示されるユーザーインターフェースは、好みのプログラムに対応することとして、好みのプログラムの名称、予約ボタン、表示ボタン、詳細情報ボタンで構成される。また、それぞれのクライアント端末５１０、５２０、５３０、５４０に表示される遠隔ユーザーインターフェースも好みのプログラムに対応することとして、好みのプログラムの名称、予約ボタン、表示ボタン、詳細情報ボタンで構成される。すなわち、ディスプレイ装置５００に表示されるＵＩと複数のクライアント端末５１０、５２０、５３０、５４０に表示される遠隔ユーザーインターフェースは形態が等しい。
【００７０】
この場合、複数のクライアント端末５１０、５２０、５３０、５４０それぞれは、自分の特性に合うカスタマイズされた遠隔ユーザーインターフェースが提供される。図５に示すように、それぞれのクライアント端末５１０、５２０、５３０、５４０に提供される遠隔ユーザーインターフェースには、該当クライアント端末５１０、５２０、５３０、５４０を通じて接近した視聴履歴に基づくユーザーの好みのプログラム情報が表示される。これによって、ユーザーは自分の好みのプログラムに直観的に接近することができる。
【００７１】
また、それぞれのクライアント端末５１０、５２０、５３０、５４０は、受信した遠隔ユーザーインターフェース情報を参照して行われるユーザーの入力をディスプレイ装置５００に伝送する（５１４、５２４、５３４、５４４）。
【００７２】
本実施形態ではそれぞれのクライアント端末５１０、５２０、５３０、５４０に提供される遠隔ユーザーインターフェースがディスプレイ装置５００に表示されるＵＩと等しい形態で提供される。これによって、ユーザーは、自分の個人クライアント端末５１０、５２０、５３０、５４０を利用してディスプレイ装置５００を容易で便利に制御することができる。この場合、クライアント端末５１０、５２０、５３０、５４０を利用してディスプレイ装置５００に表示されたＵＩを制御するのではなく、クライアント端末５１０、５２０、５３０、５４０を利用してクライアント端末５１０、５２０、５３０、５４０に表示された遠隔ユーザーインターフェースを直接に制御する。
【００７３】
図６は本発明の他の実施形態による遠隔ユーザーインターフェースを説明するための図である。
【００７４】
本発明の他の実施形態による遠隔ユーザーインターフェースは、多様な種類のクライアント端末それぞれ６１０、６２０、６３０、６４０に対応し、各クライアント端末６１０、６２０、６３０、６４０の制御手段によって制御することができる。
【００７５】
図６に示すように、それぞれのクライアント端末６１０、６２０、６３０、６４０には、ディスプレイ装置６００のＵＩが該当クライアント端末６１０、６２０、６３０、６４０の特性に相応しくカスタマイズされて表示される（６１２、６２２、６３２、６４２）。具体的に、それぞれのクライアント端末６１０、６２０、６３０、６４０に表示される遠隔ユーザーインターフェースには、該当クライアント端末６１０、６２０、６３０、６４０が接近した視聴履歴に基づく好みのプログラム情報が表示される。
【００７６】
クライアント端末Ａ６１０は、ラップトップコンピューターである。この場合、クライアント端末Ａ６１０のユーザーはマウス等の制御手段を利用して遠隔ユーザーインターフェースを制御することができる。具体的に、ラップトップコンピューターを利用して作業する時に、ユーザーは遠隔ユーザーインターフェース上でマウスを利用して“ＮＨＫニュース”の予約ボタンをクリックすることができる（６１５）。この場合、ユーザーの入力情報はディスプレイ装置６００に送信され（６１４）、ディスプレイ装置６００はこれに基づいて“ＮＨＫニュース”を予約する。
【００７７】
クライアント端末Ｂ６２０とクライアント端末Ｃ６３０は移動端末である。この場合、クライアント端末Ｂ６２０とクライアント端末Ｃ６３０のユーザーは、タッチスクリーンへのタッチを通じて、それぞれのスクリーンに表示された遠隔ユーザーインターフェースを制御する。具体的に、クライアント端末Ｂ６２０のユーザーは、指で“今日の料理”の予約ボタンをクリックし（６２５）、クライアント端末Ｃ６３０のユーザーは指で“サザエさん”の視聴ボタンをクリックすることができる（６３５）。この場合、ユーザーのタッチ情報は、ディスプレイ装置６００に送信され（６２４、６３４）、ディスプレイ装置６００は、これに基づいて“今日の料理”を予約録画して、“サザエさん”を受信してディスプレイする。
【００７８】
クライアント端末Ｄ６４０は、デスクトップコンピューターである。この場合、クライアント端末Ｄ６４０のユーザーは、マウスなどの制御手段を利用して遠隔ユーザーインターフェースを制御する。具体的に、デスクトップコンピューターを使用する時に、ユーザーは遠隔ユーザーインターフェース上でマウスを利用して“サンデーモーニング”の視聴ボタンをクリックすることができる（６４５）。ユーザーの入力情報は、ディスプレイ装置６００に送信され（６４４）、ディスプレイ装置６００はこれに基づいて“サンデーモーニング”を受信してディスプレイする。また、前述のように、クライアント端末Ｃ６３０のユーザーによって現在“サザエさん”が放映されている状態である。従って、ディスプレイ装置６００は、二つのプログラムをＰＩＰ形態でディスプレイしたり、ユーザーの選択に従って受信したコンテンツをクライアント端末Ｄ６４０に伝送することができる。この場合、ディスプレイ装置６００とクライアント端末Ｄ６４０は、ＤＬＮＡネットワークを構成してメディアコンテンツをお互いに自由に共有することができる。
【００７９】
図７Ａ及び７Ｂは、本発明の一実施形態による遠隔ユーザーインターフェースの具体的な制御過程を説明するための図である。
【００８０】
図７Ａでユーザーは、自分のクライアント端末７１０を使用しディスプレイ装置７００を通じてＴＶ視聴を制御する。例えば、ユーザーは、クライアント端末７１０を使用して希望のチャンネルを選局したり、プログラムを予約することができる。前記クライアント端末７１０が前記ディスプレイ装置７００に最初に連結されれば、前記ディスプレイ装置７００は、前記クライアント端末７１０からプロファイルを受信し、前記クライアント端末７１０のための遠隔ユーザーインターフェースを伝送する。ここで前記遠隔ユーザーインターフェースは、前記ディスプレイ装置７００を制御するため必要なユーザーインターフェースとして、リモートコントローラーのような機能を行うことができる。
【００８１】
または、前記クライアント端末７１０は、外部のウェッブサーバー（図示せず）から前記ディスプレイ装置７００を制御することができるリモートコントローラーアプリケーションをダウンロードして実行させることによって、前記ディスプレイ装置７００を制御することができる。
【００８２】
従って、ディスプレイ装置７００は、前記クライアント端末７１０からチャンネル選局またはプログラム視聴予約などのような制御信号を受信すれば、前記制御信号を前記クライアント端末７１０の視聴履歴として保存することができる。具体的に、クライアント端末７１０を通じて選局または視聴されたチャンネル、プログラムなどを記憶して、これをクライアント端末７１０に対応して保存する。
【００８３】
その後、クライアント端末７１０が連結されれば、ディスプレイ装置７００は、クライアント端末７１０の特性が反映された遠隔ユーザーインターフェースをクライアント端末７１０に提供する。具体的に、クライアント端末７１０の好みのチャンネル表、好みのプログラム表などをクライアント端末７１０に提供することができる。
【００８４】
図７Ｂでユーザーは自分のクライアント端末７１０を通じて遠隔ユーザーインターフェースが提供される。この場合、ユーザーは、自分のクライアント端末７１０に表示された好みのプログラムリストを利用して好みのプログラムに直接に接近することができる。
【００８５】
また、ユーザーは、自分のクライアント端末７１０を利用してＴＶ視聴を制御することができる。さらに、クライアント端末７１０に重力センサーまたはジャイロセンサーなどが含まれた場合、クライアント端末７１０の動きを通じてディスプレイ装置７００を制御することができる。例えば、クライアント端末７１０を上下で動くことによって視聴中であるチャンネルのボリュームを調節することができる。
【００８６】
図８は、本発明の一実施形態によるクライアント端末の動作を示す図である。
【００８７】
図８に示すように、ユーザーがクライアント端末８１０を利用して第１ディスプレイ装置８００を通じてＴＶ視聴を制御すれば、前記第１ディスプレイ装置８００は、保存部に前記クライアント端末８１０の視聴履歴を保存する。
【００８８】
前記クライアント端末８１０の視聴履歴に対する送信要請を受ければ（８１１）、前記第１ディスプレイ装置８００は、前記保存部に保存されている前記クライアント端末８１０に関する視聴履歴を前記クライアント端末８１０に伝送する（８１２）。前記クライアント端末８１０は、前記受信した視聴履歴を保存する。
【００８９】
この時、前記クライアント端末８１０が第２ディスプレイ装置９００と通信を開始する。前記クライアント端末８１０は、前記第２ディスプレイ装置９００にプロファイルを伝送しながら、前記保存された視聴履歴を共に伝送する（８２１）。前記第２ディスプレイ装置９００は、前記クライアント端末８１０から受信した視聴履歴を保存部に保存及び管理し、前記受信した視聴履歴に基づいてクライアント端末８１０の特性が反映された遠隔ユーザーインターフェースをクライアント端末８１０に伝送する（８２２）。前記遠隔ユーザーインターフェースは、前記クライアント端末８１０の好みのチャンネル表、好みのプログラム表などを含む。従って、前記クライアント端末８１０は、前記第２ディスプレイ装置９００から受信した遠隔ユーザーインターフェースを利用して前記第２ディスプレイ装置９００を制御することができる。
【００９０】
本実施形態によると、クライアント端末８１０のユーザーの家にある第１ディスプレイ装置８００から視聴履歴が送信されて保存され、前記ユーザーが場所を移動して他の地域に位置した第２ディスプレイ装置９００に前記視聴履歴を伝送して前記視聴履歴に対応する遠隔ユーザーインターフェースを第２ディスプレイ装置９００から受信することで、前記第２ディスプレイ装置９００を制御することができる。従って、ユーザーは、視聴履歴が保存されたクライアント端末８１０を有することによって、家だけではなく他の地域でもディスプレイ装置からクライアント端末８１０にカスタマイズされた遠隔ユーザーインターフェースを受信し、前記他の地域のディスプレイ装置を制御することができるので、ユーザーの便宜性が増大する。
【００９１】
図９は、本発明の一実施形態によるディスプレイ装置の制御過程を示す図である。
【００９２】
ディスプレイ装置２００は、複数のクライアント端末３００の視聴履歴を保存する（Ｓ８０１）。具体的に、ディスプレイ装置２００は、クライアント端末７１０別に視聴履歴情報を保存及び管理する。
【００９３】
ディスプレイ装置２００は、複数のクライアント端末３００の中で少なくとも一つのクライアント端末３００と連結する（Ｓ８０２）。
【００９４】
ディスプレイ装置２００は、保存された視聴履歴を参照して連結されたクライアント端末３００のそれぞれに対応する遠隔ユーザーインターフェース情報を生成する（Ｓ８０３）。
【００９５】
ディスプレイ装置２００は、生成された前記遠隔ユーザーインターフェース情報を該当クライアント端末３００に伝送する（Ｓ８０４）。
【００９６】
ディスプレイ装置２００は、該当クライアント端末３００から受信するユーザーの入力に従って放送信号を受信して処理及び表示する（Ｓ８０５）。
【００９７】
図１０は、本発明の一実施形態によるクライアント端末の制御過程を示す図である。
【００９８】
クライアント端末３００がディスプレイ装置２００に連結される（Ｓ９０１）。
【００９９】
クライアント端末３００は、前記クライアント端末３００に対応する遠隔ユーザーインターフェース情報を受信する（Ｓ９０２）。この場合、クライアント端末３００は受信された前記遠隔ユーザーインターフェース情報に基づいて遠隔ユーザーインターフェースを表示する（Ｓ９０３）。
【０１００】
クライアント端末３００は、遠隔ユーザーインターフェースを参照して行われるユーザーの入力が入力される（Ｓ９０４）。
【０１０１】
クライアント端末３００は、ユーザーの入力をディスプレイ装置２００に伝送する（Ｓ９０５）。
【０１０２】
以上、多様な実施形態を通じて本発明に対して図示し説明したが、本発明はこれに限定されず、本発明の属する技術分野の通常の知識を有する人なら本発明の原則や精神に外れなく本発明の一実施形態を変形し得ることを分かることができる。発明の範囲は、特許請求の範囲とその均等物によって定められる。
【符号の説明】
【０１０３】
１０  ディスプレイ装置
２０  クライアント端末Ａ
３０  クライアント端末Ｂ
４０  クライアント端末Ｃ
５０  クライアント端末Ｄ
【図１】
2011109655.tif 000003
【図２】
2011109655.tif 000004
【図３】
2011109655.tif 000005
【図４】
2011109655.tif 000006
【図５】
2011109655.tif 000007
【図６】
2011109655.tif 000008
【図７Ａ】
2011109655.tif 000009
【図７Ｂ】
2011109655.tif 000010
【図８】
2011109655.tif 000011
【図９】
2011109655.tif 000012
【図１０】
2011109655.tif 000013